(57)【要約】【課題】  小型、薄型化を図ると共に、所望の配光、寿命または色等の変化を抑制できる照明装置を提供する。【解決手段】  複数個の半導体発光素子１１と、半導体発光素子１１を略直線状に配置してなる長尺な発光素子基板１２と、半導体発光素子１１に対応して位置決めされて設けられ、半導体発光素子１１の光を制御する光路制御手段１３ａと、半導体発光素子１１を駆動する電源回路が実装された長尺な電源回路基板１６と、発光素子基板１２及び電源回路基板１６を隣り合うように並べて配設する本体ケース１５とを具備する構成とする。【選択図】        図１
2006031969.tif 000002
【特許請求の範囲】
【請求項１】
複数個の半導体発光素子と；
半導体発光素子を略直線状に配置してなる長尺な発光素子基板と；
半導体発光素子に対応して位置決めされて設けられ、半導体発光素子の光を制御する光路制御手段と；
半導体発光素子を駆動する電源回路が実装された長尺な電源回路基板と；
発光素子基板及び電源回路基板を隣り合うように並べて配設する本体ケースと；
を具備することを特徴とする照明装置。
【請求項２】
複数個の半導体発光素子と；
半導体発光素子を略直線状に配置してなる長尺な発光素子基板と；
半導体発光素子に対応して位置決めされて設けられ、半導体発光素子の光を制御する光路制御手段と；
半導体発光素子を駆動する電源回路が実装された長尺な電源回路基板と；
発光素子基板を配設すると共に位置決め用の当接部を有する長尺な支持部材と；
支持部材の当接部が接する取付部を有し、当接部と取付部を半導体発光素子の光軸と略直交する方向から取り付けて支持部材を支持し、発光素子基板及び電源回路基板を隣り合うように並べて配設する本体ケースと；
を具備することを特徴とする照明装置。
【請求項３】
前記支持部材を熱伝導性部材で構成し、その少なくとも一部分を外面に露出したことを特徴とする請求項２に記載の照明装置。
【発明の詳細な説明】
【技術分野】
【０００１】
本発明は、発光ダイオード等の半導体発光素子を光源とした照明装置に関する。
【背景技術】
【０００２】
従来、光源に蛍光灯若しくは白熱電球等を用いたものがあるが、この種の光源を使用した照明器具は、最低限でも蛍光灯を構成するガラスの管径、若しくはガラス球の径、以上の寸法を有する器具として構成しなければならない。
【０００３】
また発光光源を点灯制御するための電源部を組み込むことから器具の大きさはさらに増すことになってしまう。
【０００４】
さらに、この種の器具では光源の光路制御のために、反射板や透光体よりなる各種のカバー等によって光を所望の方向に制御するための光路制御手段を設ける必要があり、より器具の大型化を招くこととなり、設置スペースの問題やデザイン的な自由度の制約が生じることとなっている。
【０００５】
換言すれば、この種の蛍光灯若しくは白熱電球等を光源にするものは、所謂、反射板等の光路制御手段を有する照明器具として構成しなければならず、製造コストもかさむなどの問題が生じ、より小型、薄型化をなして設置スペースの問題やデザイン的な制約が生じず、かつコスト的にも有利な照明装置が市場から要求されている。
【０００６】
この課題を解決するために、近年、小型発光光源として発光ダイオードを用いた照明器具が開発されているが、この発光ダイオードを使用した器具は、電源部を別置きにして構成するものが主流で、電源部を別置きにすることで電源からの熱的な影響を回避できるが、設置工事などが煩雑になる問題を有する。
【０００７】
これを解消するために、電源部を内蔵した照明器具が存在する（例えば、特許文献１参照）。
【特許文献１】特開２００３−８６００６号公報
【発明の開示】
【発明が解決しようとする課題】
【０００８】
しかしながら、発光ダイオードは、一般的には光の直進性がよく、特許文献１に示されるものは、光源としての発光ダイオードを覆うようにしてフレネルレンズからなる配光制御部材、所謂、光路制御手段を設けて光を周囲に拡散させるようにしているが、光路制御手段が発光ダイオードとは別体に構成され、しかもベース板に形成されたネジ部にネジ込んで取り付けられる構成をなしている。
【０００９】
別体の場合には、発光ダイオードと光路制御手段との位置関係が変動しやすく、例えば特許文献１のものは各々のねじ込みの程度により、発光ダイオードと光路制御手段との位置関係が変わることがあり、光学設計通りに発光ダイオードからの光を制御できない場合がある。
【００１０】
また、直線状をなす面状光源の場合には、発光ダイオードが直線状をなして配置されるため、電源回路基板の配置位置によっては、個々の発光ダーオードのうち熱的影響を多く受けた発光ダイオードが寿命または色度が変化し、装置全体として寿命が短くなったり色むらが発生してしまう問題が生じる。
【００１１】
このため、発光ダイオードと光路制御手段との位置関係を変化せずに所望の配光、寿命を達成することが可能で、かつ小型、薄型化をなした略直線状の発光面をなす照明装置を、如何に提供するかがこの種照明装置の分野において重要な課題となっている。
【００１２】
本発明は、小型、薄型化を図ると共に、所望の配光、寿命または色等の変化を抑制できる照明装置を提供することを目的とする。
【課題を解決するための手段】
【００１３】
請求項１に記載の照明装置の発明は、複数個の半導体発光素子と；半導体発光素子を略直線状に配置してなる長尺な発光素子基板と；半導体発光素子に対応して位置決めされて設けられ、半導体発光素子の光を制御する光路制御手段と；半導体発光素子を駆動する電源回路が実装された長尺な電源回路基板と；発光素子基板及び電源回路基板を隣り合うように並べて配設する本体ケースと；を具備することを特徴とする。
【００１４】
請求項１に記載の発明によれば、小型、薄型化をなした略直線状の発光面をなす照明装置が構成され、さらに所望の配光、寿命または色等の変化を抑制できる照明装置が構成される。
【００１５】
「半導体発光素子」は、フィラメントを有しない半導体よりなる発光素子で、例えば発光ダイオードや半導体レーザなどを許容する。
【００１６】
「半導体発光素子を略直線状に配置してなる長尺な発光素子基板」は、半導体発光素子を複数個用意し、長尺な発光素子基板上に縦または横に直線状に1列または複数列に配置し、全体として、平面視で長方形、正方形などの矩形状をなした略直線状の発光面を許容する。
【００１７】
「光路制御手段」は、透明なレンズ体や反射体等を許容し、半導体発光素子から放射される光を、主として直線状に下向きに広がるように光路を制御するものであればよく、制御する手段は、光を屈折しても、反射させても、さらには拡散をさせるようにしてもよい。
【００１８】
さらに「光路制御手段」には、位置決め手段が設けられていてもよい。
【００１９】
位置決め手段は、凸部と凹部の係合や、差込式によって固定して位置を決めることも、さらには修理等の際に分解ができるよう着脱可能に取付けて位置を決めることも許容する。
【００２０】
請求項２に記載の照明装置の発明は、複数個の半導体発光素子と；半導体発光素子を略直線状に配置してなる長尺な発光素子基板と；半導体発光素子に対応して位置決めされて設けられ、半導体発光素子の光を制御する光路制御手段と；半導体発光素子を駆動する電源回路が実装された長尺な電源回路基板と；発光素子基板を配設すると共に位置決め用の当接部を有する長尺な支持部材と；支持部材の当接部が接する取付部を有し、当接部と取付部を半導体発光素子の光軸と略直交する方向から取り付けて支持部材を支持し、発光素子基板及び電源回路基板を隣り合うように並べて配設する本体ケースと；を具備することを特徴とする。
【００２１】
請求項２に記載の発明によれば、小型、薄型化をなした略直線状の発光面をなす照明装置が構成され、さらに所望の配光、寿命または色等の変化を抑制できる照明装置が構成される。
【００２２】
請求項３に記載の発明は、請求項２に記載の照明装置において、    前記支持部材を熱伝導性部材で構成し、その少なくとも一部分を外面に露出したことを特徴とする。
【００２３】
請求項３に記載の発明によれば、半導体発光素子の光束減少を防ぐことが可能な照明器具が構成される。
【発明の効果】
【００２４】
請求項１の発明によれば、長尺な発光素子基板と長尺な電源回路基板を本体ケースに隣り合うように並べて配設したので、小型、薄型化をなした略直線状の発光面をなす照明装置を提供することができる。
【００２５】
また光路制御手段は、半導体発光素子に対応して位置決めして設けられるので、所望の配光特性の変化を抑制できる。
【００２６】
さらに、発光素子基板と電源回路基板とは並設されており、熱的影響を受け易い複数の半導体発光素子について、電源から受ける熱的影響を略均等に受けられるようにしたので、複数の半導体発光素子の寿命、色度等の変化の度合いを略同じ程度にすることができる。
【００２７】
請求項２の発明によれば、長尺な発光素子基板と長尺な電源回路基板を本体ケースに隣り合うように並べて配設したので、小型、薄型化をなした略直線状の発光面をなす照明装置を提供することができる。
【００２８】
また光路制御手段は、半導体発光素子に対応して位置決めされ、かつ確実に本体ケースに支持する構成とされるので、より一層、所望の配光特性の変化を抑制できる。
【００２９】
さらに、発光素子基板と電源回路基板とは並設されており、熱的影響を受け易い複数の半導体発光素子について、電源から受ける熱的影響を略均等に受けられるようにしたので、複数の半導体発光素子の寿命、色度等の変化の度合いを略同じ程度にすることができる。
【００３０】
請求項３の発明によれば、半導体発光素子から発生する熱を外部に放熱できるようにしたので、半導体発光素子の温度上昇を抑制して光束減少を防ぐことが可能な照明器具を提供することができる。
【発明を実施するための最良の形態】
【００３１】
以下、本発明に係る照明装置の実施形態について説明する。
【実施例１】
【００３２】
図１〜図４は、本発明の第一の実施形態の照明装置を示し、図１は一部を切り欠いて示す平面図、図２は一部を切り欠いて示す下面図、図３は右側面図、図４は図１のＡ―Ａ線に沿い断面し、拡大して示す縦断面図、図５は要部を分離して示す説明図である。
【００３３】
本実施形態の照明装置は、一般家庭の台所における流し台で使用される流し元灯として構成されたもので、１０は照明装置で、半導体発光素子１１を有する発光素子基板１２、透光性のカバー部材１３、支持部材１４、本体ケース１５及び電源回路基板１６で構成する。
【００３４】
半導体発光素子１１は、発光ダーオード（以下「ＬＥＤ」と称す）から構成し、ＬＥＤ１１は、同一色、本実施形態では白色のＬＥＤが複数個用意され、この各ＬＥＤは，一方向，すなわちＬＥＤの軸線方向（図４に一点鎖線で示す）に光線が主として放射される同種性能のもので構成する。
【００３５】
さらに、複数個（本実施形態では１８個）の各ＬＥＤ１１は、細長の平面状をなした長尺な発光素子基板１２に、略直線状に１列に配置する。この際、各ＬＥＤはその長方形をなす素子片の方向が９０度の角度で交互に変わるようにして配置する。
【００３６】
発光素子基板１２は、耐熱性で電気絶縁性の合成樹脂により構成する。
【００３７】
この１８個のＬＥＤ１１を１列に配置した長尺な発光素子基板１２は、同様に配置構成された同形状のものが２本用意され、合計３６個のＬＥＤが使用される。
【００３８】
透光性のカバー部材１３は、断面が凹形で細長の略直線状をなした長尺で無色透明なポリカーボネート等の合成樹脂で構成し、凹形の内面にレンズ体１３ａを、さらにレンズ体の内面に凹部１３ｂを形成する。
【００３９】
凹部１３ｂは、１８個の各ＬＥＤ１１にそれぞれ対向して、１８個の孔が１列をなして透明なカバー部材１３に一体に形成され、この１８個の凹部１３ｂに、発光素子基板１２に配置された１８個の各ＬＥＤ１１がそれぞれ1個ずつ配設される。
【００４０】
レンズ体１３ａは、各ＬＥＤ１１の光路を制御する光路制御手段を構成するもので、ＬＥＤから放射される光線の光路を制御して配光角が約３０度になるように構成する。
【００４１】
発光体Ａは、発光素子基板１２とカバー部材１３とが組み合わされ、光路制御手段を有する透光性のカバー部材１３がＬＥＤ１１に位置決めされて構成される。
【００４２】
なお、透光性のカバー部材１３のＬＥＤ１１による位置決めは、透光性のカバー部材１３と発光素子基板１２に、互いに対応して別途の凹凸等による係合部材を設け、これを係合することにより両者の位置決めを行い、より確実にするようにしてもよい。
【００４３】
１３ｅは凹形の両端に一体に形成された取付鍔部であり、後述する支持部材１４にカバー部材１３取り付けるための部材である。
【００４４】
長尺をなす発光素子基板１２とカバー部材１３の長さは略等しい寸法に構成する。
【００４５】
図中１４は、発光素子基板１２及び透光性のカバー部材１３を支持する細長の略直線状をなした長尺の支持部材で、熱伝導性の良好なアルミニューム等の金属で構成する。
【００４６】
支持部材１４は、断面が略Ｌ字形をなし、平面状の基板部１４ａ、基板部１４ａの両側に互いに向き合う方向に形成した凹溝１４ｂ、１４ｂからなる取付部１４ｃ、さらに基板部１４ａに対し９０度の角度をもって形成された位置決め用の当接部１４ｄからなる。
【００４７】
基板部１４ａ、取付部１４ｃ及び当接部１４ｄは、アルミニューム材を引き抜き加工することにより一体に形成される。
【００４８】
支持部材１４の長さも、長尺をなす発光素子基板１２及びカバー部材１３と略等しい寸法に構成する。
【００４９】
上記のように構成した支持部材１４には、上述した発光体Ａが組み込まれる。
【００５０】
すなわち、カバー部材１３の凹部１３ｂに各ＬＥＤ１１を挿入して、カバー部材１３と発光素子基板１２を組み合わせた状態で、発光素子基板１２の底面を支持部材の基板部１４ａに載置し、カバー部材１３の取付鍔部１３ｅ、１３ｅを凹溝１４ｂ、１４ｂに嵌合し、カバー部材１３、発光素子基板１２及び支持部材１４が位置決めされて固定される。
【００５１】
これによって、ＬＥＤ１１の光軸とレンズ体１３ａの光軸がずれにくくなる。
【００５２】
上記のように支持部材１４に一体に組み込まれた同一の構成・性能を有する発光体Ａを２組用意する。
【００５３】
本体ケース１５は、耐熱性でかつ電気絶縁性を有する合成樹脂で構成し、平面視で長方形をなした外形形状を有し、その板面を平面状に構成した載置部１５ａとなし、載置部の両側面に側面板１５ｂ、１５ｂを一体に形成する。
【００５４】
載置部１５ａ板面の略中間部分には、９０度の角度をもって起立し、かつ両側の側面板１５ｂ、１５ｂにわたって平行な２本の取付片からなる取付部１５ｃ、１５ｃを一体に形成する。
【００５５】
取付部１５ｃ、１５ｃの間には空間部１５ｄが形成されると共に、両側には平面状となした支持部１５ｅ、１５ｅが形成される。
【００５６】
側面板１５ｂ、１５ｂは、外形が略山形をなし両側に貫通孔よりなる取付孔１５ｆを形成する。
【００５７】
また、本体ケース１５両側に位置する側面板１５ｂ、１５ｂ間の寸法は、長尺をなす発光素子基板１２、カバー部材１３及び支持部材１４の長さと略等しい寸法に構成する。
【００５８】
上記のように構成した本体ケース１５には、支持部材１４に一体に組み込まれた２組の発光体Ａが組み込まれる。
【００５９】
すなわち、カバー部材１３と発光素子基板１２を一体に組み込んだ長尺をなす支持部材１４の両端部を、本体ケース１５両側の側面板１５ｂ、１５ｂ間に嵌合させる。
【００６０】
さらに、支持部材１４の平面状の基板部１４ａを本体ケース１５の平面状の支持部１５ｅ、１５ｅに載置すると共に、９０度の角度をなして形成された当接部１４ｄを、同じく９０度の角度をもって形成された取付部１５ｃ、１５ｃに、それぞれの角が合致するように当接させて位置決めを行う。
【００６１】
この際、アルミニュームで構成した支持部材１４の両端面部ａが外面に露出するようにして組み立てられる。
【００６２】
上記により、２組の発光体Ａの本体ケース１５に対する位置決めがなされ、発光体Ａと本体ケース１５の位置関係が変わることがない状態で確実に組み込まれる。
【００６３】
これによって、発光体ＡにおけるＬＥＤの光軸が所定の鉛直方向に設定され、かつ配光角が約３０度に設定された状態が変わることはない。
【００６４】
さらに、支持部材１４の当接部１４ｄと本体ケース１５の取付部１５ｃは、各ＬＥＤ１１の光軸と略直交する方向（図４の水平方向）からボルト１５ｇをねじ込んで支持部材１４と本体ケース１５を固定する。
【００６５】
この際、ボルト締めは各ＬＥＤ１１の光軸と略直交する方向から行うのでボルトの締め付け具合によっては、支持部材１４が目的とする所定の位置から多少動くが、その方向は光軸と略直交する水平方向に移動するのみであり、各ＬＥＤ１１の光軸が鉛直方向から外れて傾くことはない。
【００６６】
例えば、ＬＥＤの光軸方向（図４の一点鎖線方向）からボルト締めを行うと、その締め付け具合により支持部材１４が水平面に対し傾く場合があり、この傾きはＬＥＤの光軸が鉛直方向からある角度をもって傾くこととなり所定の配光特性が得られない問題が発生する。
【００６７】
なお、図中１５ｈは、本体ケース１５の一方の右側面板１５ｂの下方から載置部１５ａの底面にわたり９０度の角度を持って形成された貫通孔からなる電源コードの引き出し部である。
【００６８】
電源回路基板１６は、各ＬＥＤ１１を点灯制御するための電源回路部品を実装したもので、細長の略直線状の平面状をなした長尺なプリント基板で構成し、その表面側に回路部品を、各部品の長手方向がプリント基板の長手方向に平行に沿うように配置して実装する。
【００６９】
さらに、本体ケース１５の略中間部に形成された空間部１５ｄの底面に、各部品が表面側に面するように位置させて、プリント基板の両端部をネジ止め等の手段で固定する。
【００７０】
上記により、長尺な発光素子基板１２と長尺な電源回路基板１６が隣り合い、その各板面が水平面に対して互いに略平行をなすように並べて配設した構成となり、小型、薄型化をなした略直線状の発光面をなす照明装置を構成できると共に、熱的影響を受け易い複数のＬＥＤ１１について、電源回路基板１６から受ける熱的影響を略均等に受けられるようになり、複数の半導体発光素子の寿命、色度等の変化の度合いを略同じ程度にすることができる。
【００７１】
さらに、本体ケース１５の電源回路基板１６を収納した空間部１５ｄは化粧板１７で覆われている。
【００７２】
化粧板１７は、断面が山形をなした細長の略直線状をなした長尺な金属板で構成し、その表面を所定の色に塗装し、山形両端の内側に向かって形成された係合部１７ａ、１７ａを、支持部材１４の当接部１４ｄの上端に形成された凹溝１４ｆ、１４ｆに金属板の弾性を利用して嵌めこむことにより空間部１５ｄを覆って取り付けられる。
【００７３】
上記のように構成された照明装置を修理、点検等のために分解する場合には、本体ケース１５の空間部１５ｄを覆っている化粧板１７を金属板の弾性に抗して支持部材１４の凹溝１４ｆ、１４ｆから取り外す。
【００７４】
この状態で、この電源回路基板１６が露出するので、本体ケース１５の空間部１５ｄから電源回路基板１６を取り外して修理、交換等を行う。
【００７５】
さらに、４個のボルト１５ｇを外して、支持部材１４を本体ケース１５から取り外す。
【００７６】
これにより、カバー部材１３と発光素子基板１２が支持部材１４に一体に組み込まれた発光体Ａが本体ケース１５から取り外せる。
【００７７】
さらに、カバー部材１３と発光素子基板１２が組み合わされた状態で、支持部材１４の凹溝１４ｂ、１４ｂから引き抜き、支持部材１４を分離する。
【００７８】
さらに、カバー部材１３の凹部１３ｂから各ＬＥＤ１１を引き出して、発光素子基板１２とカバー部材１３を分離する。
【００７９】
これにより各ＬＥＤ１１が発光素子基板１２上に露出するので、この状態でＬＥＤの交換、修理等を行う。
【００８０】
図中１８、１８は、電源回路基板１６の電源回路と２列に並べられた各ＬＥＤ１１を配線接続するためのリード線である。
【００８１】
なお、電源回路は定電流回路で構成し、直列に接続された各ＬＥＤ１１に電源を供給して電源効率の高い照明を行うように構成する。
【００８２】
上記の構成により、複数のＬＥＤ１１が化粧板１７を挟んで２列をなして配置され、全体として平面視で長方形をなした略直線状の発光面をなし、横寸法ａが約２２０ｍｍ、縦寸法ｂが約８５ｍｍ、高さｈが約２０ｍｍの、より小型、薄型化をなした流し元灯としての照明装置が構成される。
【００８３】
上記に構成された流し元灯を、流し台上方に位置する食器棚の天板に設置するには、本体ケース１５の側面板１５ｂ、１５ｂに形成された各取り付け孔１５ｆに４本の木ネジを挿入して天板にねじ込み取り付ける。さらに電源コードを本体ケースの引き出し部１５ｈから引き出し、所定のコンセントに接続して電源を供給し各ＬＥＤ１１を点灯する。
【００８４】
各ＬＥＤ１１は略直線状の発光面をなし配光角が約３０度に設定された状態で、光線が直線状に下向きに広がって放射され、長方形をなす流し台の長手方向に沿った所望の照明を行う。
【００８５】
この際、アルミニュームで構成した支持部材１４の両端面部ａが外面に露出しているので、各ＬＥＤ１１から発生する熱が発光素子基板１２から支持部材１４に伝導されて外部に放熱される。
【００８６】
これにより、各ＬＥＤ１１の温度上昇が抑制されて光束減少を防ぐことができる。
【００８７】
この流し元灯は、上記のように、小型、薄型化をなして構成されており、流し台上部の狭い空間にも問題なく設置することができ、さらに照明装置が従来の照明器具のように突出しないので流し台における作業に支障をきたすことなく所望の照明を行うことができる。
【００８８】
さらに、引き出し部１５ｈは、本体ケース１５の側面板１５ｂの下方から載置部１５ａ底面にわたり両面に貫通する孔で形成されているので、電源コードの引き出し方向は、本体ケース１５の側面板１５ｂの下方の孔から天板の板面に沿った方向にも、また載置部１５ａ底面の孔から天板を貫通する方向にも引き出すことができる。
【００８９】
なお、図示しないがプルスイッチ等を本体ケース１５に設置して各ＬＥＤ１１をＯＮ、ＯＦＦするようにする。
【００９０】
本実施形態において、上記のように構成された照明装置１０は、単独で使用することが可能であるが、例えば、上述の照明装置１０を２台用意して、本体ケース１５の長手方向に連続するように併設して、より細長長尺の照明装置として構成してもよい。さらに本体ケース１５の長手方向と直交する短手方向に連続するように併設して、略正方形状をなす角形の照明器具を構成するようにしてもよい。
【００９１】
さらに、細長をなす発光素子基板１２、カバー部材１３及び支持部材１４で所望の配光角にセットされた発光体Ａを1単位の標準部品として構成し、照明の規模、状況等に合わせて1単位の発光体を必要な個数用意し、その長手方向、または短手方向に連続するように併設して所望の照明装置を構成するようしてもよい。
【００９２】
この際、本体ケース１５は、上記標準化された1単位の発光体Ａの使用個数に合わせた寸法構成のものを多種用意しておく。
【００９３】
各ＬＥＤ１１は、白色で構成したが、照明装置の用途に応じ、赤色、黄色、緑色でも、さらには各種の色を組み合わせて構成してもよい。
【００９４】
透光性のカバー部材１３を無色透明な合成樹脂で構成したが、着色したものでも、また完全な透明体でなく半透明でも、さらに材質としては合成樹脂に限らず、透光性を有する強化ガラスで構成してもよい。
【００９５】
また、本体ケース１５を耐熱性でかつ電気絶縁性を有する合成樹脂で構成したが、アルミニューム等熱伝導性の良好な金属で構成して、各ＬＥＤ１１から発生する熱をより効率よく放熱させるようにしてもよい。この場合、電源回路基板１６との電気絶縁は別途の構成で行う。
【００９６】
本実施形態の照明装置は、流し元灯として構成したが、他の家庭用、さらには施設、業務用等の各種の照明装置として構成してもよい。
【００９７】
本実施形態によれば、長尺な発光素子基板と長尺な電源回路基板を本体ケースに隣り合うように並べて配設したので、小型、薄型化をなして設置スペースの問題やデザイン的な制約が生じない、コスト的にも有利な略直線状の発光面をなす照明装置を提供することができる。
【００９８】
特に電源回路基板及び発光素子基板の板面が水平面に対して互いに略平行をなすように配置したので、より一層、小型、薄型化を達成することが可能となる。
【００９９】
さらに、照明器具における大きな反射板を備えることなく所望の照明を行うことができるので、反射板付の従来の照明器具のように器具の大型化を招くことのない照明装置を提供することができる。
【０１００】
また光路制御手段は、半導体発光素子に対応して位置決めして設けられるので、両者の位置関係が変わることがない発光体として組み立てられので、所望の配光特性の変化を抑制できる。
【０１０１】
光路制御手段は、半導体発光素子に対応して位置決めされ、かつ本体ケースに対して位置決めがなされることから、発光体と本体ケースの位置関係が変わることがない状態で確実に組み込むことができ、より一層所望の配光特性の変化を抑制できる。
【０１０２】
さらに、支持部材の当接部と本体ケースの取付部は、ＬＥＤの光軸と略直交する方向からボルトをねじ込んで支持部材と本体ケースを固定するため、ＬＥＤの光軸が鉛直方向から外れて傾くことはなく、より一層所望の配光特性の変化を抑制できる。
【０１０３】
また、発光素子基板と電源回路基板とは並設されており、熱的影響を受け易い複数の半導体発光素子について、電源から受ける熱的影響を略均等に受けられるようにしたので、複数の半導体発光素子の寿命、色度等の変化の度合いを略同じ程度にすることができる。
【０１０４】
上記のように構成された照明装置の修理、点検等で分解する場合には、本体ケースの空間部を覆っている化粧板を取り外す簡単な操作で電源回路基板の修理、交換等を行うことができる。
【０１０５】
カバー部材と発光素子基板を組み合わせた状態で、支持部材の凹溝から引き抜く簡単な操作で各ＬＥＤを引き出して交換、修理等を行うことができる。
【０１０６】
本実施形態においては、照明装置を複数個用意して組み合わせることにより、照明の規模、状況等に合わせて各種の形状、大きさの多様な照明器具を簡易な構成、方法で提供することが可能となる。
【実施例２】
【０１０７】
図６〜図１０は、本発明の第二の実施形態の照明装置を示し、図６は平面図、図７は一部を切り欠いて示す下面図、図８は左側面図、図９は図６のＡ―Ａ線に沿い断面し、拡大して示す縦断面図、図１０は要部を分離して示す説明図で、各図には第一の実施形態と同一部分には同一符号を付してある。
【０１０８】
本実施形態の照明装置は、複数個の各ＬＥＤを発光素子基板１２上に２列に隣接して併設し、電源回路基板を垂直方向に立てて組み込み、より一層の小型、薄型化を達成するようにしたものである。
【０１０９】
本実施形態の照明装置も、流し元灯として構成したもので、複数個の各ＬＥＤ１１は、細長で長尺な平面状をなした長尺な発光素子基板１２に、略直線状に２列に隣接して配置する。
【０１１０】
透光性のカバー部材１３は、細長の平面状をなし、第１の実施形態と同様にレンズ体からなる光路制御手段が一体に形成され、上記の各ＬＥＤ１１を配置した発光素子基板１２を組み込んで発光体Ａを構成する。
【０１１１】
発光体Ａは、第一の実施形態と同様に、発光素子基板１２とカバー部材１３とが組み合わされ、光路制御手段を有する透光性のカバー部材１３がＬＥＤ１１に位置決めされて構成される。
【０１１２】
支持部材１４は、長尺で断面が上端を開放した長方形の箱状をなし、平面状の基板部１４ａと、長方形状の角部で９０度の角度をもって形成された位置決め用の当接部１４ｄを形成する。
【０１１３】
上記に構成した支持部材１４には、発光体Ａが組み込まれる。
【０１１４】
すなわち、カバー部材１３と発光素子基板１２を組み合わせた状態で、発光素子基板１２の底面を支持部材の基板部１４ａに載置し、箱状をなす支持部材１４上端の開放した部分にカバー部材１３の凹レンズ体１３ａの平面部分を嵌め込んで位置決めされて固定される。
【０１１５】
これによって、第一の実施形態と同様に、ＬＥＤ１１の光軸と光路制御手段のレンズ体１３ａの光軸がずれにくくなる。
【０１１６】
本体ケース１５は、肉厚の取付台からなる載置部１５ａを構成し、載置部の両側面に側面板１５ｂ、１５ｂを形成する。
【０１１７】
載置部１５ａの外端面部に９０度の角度をもって起立し、かつ両側の側面板１５ｂ、１５ｂにわたって取付部１５ｃを一体に形成し、取付部１５ｃに連続して平面状となした支持部１５ｅが形成される。
【０１１８】
上記のように構成した本体ケース１５には、支持部材１４に一体に組み込まれた発光体Ａが組み込まれる。
【０１１９】
すなわち、カバー部材１３と発光素子基板１２を一体に組み込んだ長尺をなす支持部材１４の両端部を、本体ケース１５両側の側面板１５ｂ、１５ｂ間に嵌合させる。
【０１２０】
さらに、支持部材１４の平面状の基板部１４ａを本体ケース１５の平面状の支持部１５ｅに載置すると共に、９０度の角度をなして形成された当接部１４ｄを、同じく９０度の角度をもって形成された取付部１５ｃに、それぞれの角が合致するように当接させて位置決めを行う。
【０１２１】
この際、アルミニュームで構成した支持部材１４の側面部ａ及び上面部ｂが外面に露出するようにして組み立てられる。
【０１２２】
上記により、第一の実施形態と同様に、発光体Ａの本体ケース１５に対する位置決めがなされ、発光体Ａと本体ケース１５の位置関係が変わることがない状態で確実に組み込まれる。
【０１２３】
これによって、発光体ＡにおけるＬＥＤの光軸が所定の鉛直方向に設定され、かつ配光角が約３０度に設定された状態が変わることはない。
【０１２４】
さらに、４本のボルト２０をねじ込んで支持部材１４と本体ケース１５を固定する。
【０１２５】
また、本体ケース１５には取付台からなる第２の載置部１５ａ′が一体に形成され、第２の載置部１５ａ′の外端面部に９０度の角度をもって起立し、かつ両側の側面板１５ｂ、１５ｂにわたって第２の取付部１５ｃ′を一体に形成する。これにより載置部１５ａと第２の載置部１５ａ′との間に空間部１５ｄが形成される。
【０１２６】
この第２の取付部１５ｃ′に化粧板１７が支持される。
【０１２７】
すなわち、本実施形態における化粧板１７は、断面が略Ｌ字形をなした耐熱性でかつ電気絶縁性を有する長尺な合成樹脂で構成し、垂直部分１７ａを、本体ケースに９０度の角度をもって起立して形成された第２の取付部１５ｃ′に載置して位置決めを行い、水平部分１７ｂを支持部材１４の側面部ｃに当接し、３本のボルト２１を垂直部分１７ａから第２の載置部１５ａ′にねじ込み固定する。
【０１２８】
この状態で化粧板１７の垂直部分１７ａの内側に電源回路基板１６を垂直方向に立てて当接し、電源回路基板１６からボルト２２を垂直部分１７ａにねじ込み、電源回路基板１６を固定する。
【０１２９】
上記により、電源回路基板１６の板面が発光素子基板１２の板面に対して略直交するように配置され、この配置は照明装置全体のより細長、薄型化に貢献する構成となっている。
【０１３０】
上記の構成により、複数の各ＬＥＤ１１が発光素子基板１２上に隣接して２列をなし、全体として平面視で細長の長方形をなした略直線状の発光面をなし、横寸法ａが約２１４ｍｍ、縦寸法ｂが約６０ｍｍ、高さｈが約１８ｍｍの、より小型、薄型化をなした流し元灯としての照明装置が構成される。
【０１３１】
本実施形態によれば、電源回路基板の板面が発光素子基板の板面に対して略直交するように配置されているので、より細長の長方形の略直線状の発光面をなす照明装置を提供することができる。
【０１３２】
その他の構成・作用・変形例、作用効果等は、第一の実施形態と同様である。
【０１３３】
以上、本発明の好適な実施形態を説明したが、本発明は上述の実施形態に限定されることなく、本発明の要旨を逸脱しない範囲内において、種々の設計変更を行うことができる。
【図面の簡単な説明】
【０１３４】
【図１】本発明の第一実施形態に係る照明装置の一部を切り欠いて示す平面図。
【図２】同じく一部を切り欠いて示す下面図。
【図３】同じく右側面図。
【図４】同じく図１のＡ―Ａ線に沿い断面し、拡大して示す縦断面図。
【図５】同じく要部を分離して示す説明図。
【図６】本発明の第二実施形態に係る照明装置の平面図。
【図７】同じく一部を切り欠いて示す下面図。
【図８】同じく左側面図。
【図９】図６のＡ―Ａ線に沿い断面し、拡大して示す縦断面図。
【図１０】要部を分離して示す説明図。
【符号の説明】
【０１３５】
１０  照明装置
１１  半導体発光素子
１２  発光素子基板
１３a  光路制御手段
１４  支持部材
１５  本体ケース
１６  電源回路基板
【図１】
2006031969.tif 000003
【図２】
2006031969.tif 000004
【図３】
2006031969.tif 000005
【図４】
2006031969.tif 000006
【図５】
2006031969.tif 000007
【図６】
2006031969.tif 000008
【図７】
2006031969.tif 000009
【図８】
2006031969.tif 000010
【図９】
2006031969.tif 000011
【図１０】
2006031969.tif 000012